(57)【要約】【課題】本発明は、省スペース、組み立てが簡単、サイズ調整が可能で、陳列スペースが小さく、段ボール詰めの収納性が良いボトル用プレミアム景品収納ケースを提供する。【解決手段】前記前・後面側壁部２０、２１の下縁にボトル口栓下部係止用底面フラップ２９、３１が各々連設され、前記前・後面側壁部２０、２１の下縁に底面貼着フラップ３０、３２が各々連設され、前記後面側壁部２１の上縁に蓋面部２５と差込片２８が連設され、また第一・二側面壁部２２、２３の上縁に蓋受片２６、２７が各々連設され、該第一・二側面壁部２２、２３の下縁に底面貼着受フラップ３３、３４が各々連設され、前記第一側面壁部２２に糊代片２４が連設されたブランクの各々フラップを折り重ねて、底テーネス貼式スリーブ形状とし、組み立てた時に底面部４０に菱形形状の係止用孔部４１が構成されることを特徴とするボトル用プレミアム景品収納ケースである。【選択図】図１
2005178863.tif 000002
【特許請求の範囲】
【請求項１】
前面側壁部、後面側壁部、第一側面壁部、第二側面壁部および蓋面部を具備する直方体形状に形成され、前記前面側壁部、後面側壁部の下縁左半分にボトル口栓下部係止用底面フラップが斜め折り目線を介して各々連設され、前記前面側壁部、後面側壁部の下縁右半分に斜めミシン目線で２分割された三角形状の連結部と糊代部とを有する底面貼着フラップが斜め折り目線を介して各々連設され、前記後面側壁部の上縁に蓋面部が折り目線を介して連設され、該蓋面部の先端部に差込片が折り目線を介して連設され、また第一側面壁部、第二側面壁部の上縁に蓋受片が折り目線を介して各々連設され、該第一側面壁部、第二側面壁部の下縁に底面貼着受フラップが折り目線を介して各々連設され、前記第一側面壁部または後面側壁部のいずれか一方に糊代片が折り目線を介して連設された１枚のブランクであって、このブランクの糊代と後面側壁部とを接着し、また前記ボトル口栓下部係止用底面フラップおよび底面貼着受フラップを各々内側に折り込み、さらに前記底面貼着フラップの連結部と糊代部との表面同士を斜めミシン目線を介して各々折り重ねて、前記糊代部と底面貼着受フラップとを各々接着して底テーネス貼式スリーブ形状とし、組み立てた時に底面部にボトル口栓下部係止機能を有する菱形形状の係止用孔部が構成されることを特徴とするボトル用プレミアム景品収納ケース。
【請求項２】
前記ボトル口栓下部係止用底面フラップには、該ボトル口栓下部係止用底面フラップと底面貼着フラップとが隣接する上端交点から下方に垂下した接線が分離する点を起点として、下方に向けてボトル口栓下部係止機能を有するコーナＲが各々設けられていることを特徴とする請求項１記載のボトル用プレミアム景品収納ケース。
【発明の詳細な説明】
【技術分野】
【０００１】
本発明は、ミネラルウォータ、炭酸飲料などの清涼飲料水や調味料などの商品を包装するプラスチックボトルなどの口栓に装着し、プレミアム景品などを収納するボトル用プレミアム景品収納ケースに関するものである。
【背景技術】
【０００２】
従来、ポリエチレンテレフタレート（ＰＥＴ）樹脂などを成形して作製されるプラスチックボトル１２などにおまけを付けて販売する方法には、図６に示すように、プラスチック製袋１６におまけを収納し、該プラスチック製袋１６に取付け孔１５を設け、該孔１５を口栓（キャップ）１４に被せるようにして、該ボトル１２の首部１２ａに装着し、該ボトル１２にぶら下がった状態で販売する方法が多く取られている。
【０００３】
このようにプラスチック製袋１６を用いた場合には、中に入れたおまけ１３が外から見えるので、どのようなものが入っているのかを見せたくない場合には、不向きである。
【０００４】
何が入っているのかは、買い求めてからの楽しみというようにする場合には、プラスチック製袋１６の中に不透明な紙製の箱を入れたり、プラスチック製袋の全面に印刷を施したりする必要があり、コストがかかる問題がある。
【０００５】
また、おまけ１３を入れたプラスチック製袋１６が、ボトル１２の脇にぶら下がった状態では、その部分の幅d２が、該ボトル自身の直径または幅d１より大きくなってしまう。
【０００６】
そのため、該袋１６を取り付けたボトル１２を並べる場合には、該袋１６を取り付けない場合と比較して、陳列スペースが多く必要になる。
【０００７】
また、プラスチック製袋１６を取り付けたボトル１２を段ボール函に入れる場合にも、おまけ１３が入ったプラスチック製袋１６が邪魔になり、段ボール詰めの手間もかかり、収納性も悪くなる。
【０００８】
そこで、図７に示すように、前記プラスチックボトル１２の口栓１４下部におまけ容器１７を取り付けて販売する方法が提案されている。（例えば、特許文献１参照。）
この提案のように、プラスチックボトル１２の口栓１４下部、詳しくは該ボトル１２の首部１２ａの上部に一体成形されている円形状の翼部１２ｂに取り付けられている。
【０００９】
該おまけ容器１７は、おまけを収納する容器部分と該ボトル１２の口栓１４下部に取り付ける容器部分が区切られて一体化されている構造をしている。
【００１０】
該おまけ容器１７は、紙製のシート部材を組み立てたもので、該シート部材は、第１の面１に、折り線を介して第２の面２を連設し、該第２の面２に折り線を介して第３の面３を連設し、該第３の面３の両脇には、折り線を介して折り込み面を各々設けている。
【００１１】
さらに、前記第３の面３に対して第２の面と反対側の折り線と連設する第４の面４を設け、該第４の面４に折り線を介して糊代８を連設し、該糊代８の両脇にも、折り線を介して折り込み面を各々設けている。
【００１２】
前記第４の面４には、いずれか一方の端辺に折り線を介して第５の面５を連設し、該第５の面５には折り線を介して第６の面６を連設し、さらに該第６の面６には折り線を介し
て第７の面７を連設し、該第７の面７には折り線を介して折り込み面９を連設している。
【００１３】
前記第１〜第７の面１〜７の内、第１の面１と第３の面３が同じ形状、第２の面２と第４の面４と第６の面６が同じ形状、第５の面５と第７の面７とが同じ形状である。
【００１４】
そして、前記第１の面１には、プラスチックボトル１２の首部１２ａを挿入する首部挿入孔１０を設けるとともに、その周囲に首部押さえ片１０a、１０bを設けている。
【００１５】
このようなシート部材の折り線を全て谷折りまたは山折りにして、糊代８と第１の面１とを接着すると、おまけ容器１７ができあがる。
【００１６】
このおまけ容器１７は、紙製なので、特に費用をかけなくても、中身が見えないものにできる。
【００１７】
また、プラスチックボトル１２の幅ｄ１より、おまけ容器の幅ｄ３が短いので、陳列スペースが大きくなることもなく、段ボール詰めの手間もかからず、収納性も悪くなることはない。
【００１８】
以下に先行技術文献を示す。
【特許文献１】特開２００１−１９９４４４号公報
【発明の開示】
【発明が解決しようとする課題】
【００１９】
しかしながら、上記のようなおまけ容器は、複雑であるために組み立てにかなりの手間を必要とし、生産コストが高くなり、またブランクの形状が変則的であるので多面付けの際に通常の規格寸法の板紙にたいしての取り都合が悪く、無駄な紙の部分が発生し、材料コストも高くなる。
【００２０】
さらに、糊代と第１の面とを糊貼りする工程も手作業となり、生産コストがますます高くなる問題がある。
【００２１】
また、図８に示すように、該容器の底面部４０の中心部に係止用孔部４１を設け、該係止用孔部４１の周辺に切れ刃により切り込み４２を放射状に設けてボトルの口栓１４下部に係止する方法もあるが、この場合は、切り込み４２部分が強度的に弱くなり、外的な衝撃などにより破損し、ボトルの口栓１４下部から外れる問題などが発生し不安定である。
【００２２】
本発明は、このような従来技術の問題点を解決しようとするものであり、省スペースでコストが安く、簡単に組み立てができ、また景品の大きさや厚みに応じて自由にサイズ調整が可能であり、さらにプラスチックボトルに取り付けた際の陳列スペースが大きくなることもなく、段ボール詰めの手間もかからず、収納性も良いボトル用プレミアム景品収納ケースを提供することを目的とする。
【課題を解決するための手段】
【００２３】
本発明は、上記の課題を解決するために成されたものであり、本発明の請求項１に係る発明は、前面側壁部２０、後面側壁部２１、第一側面壁部２２、第二側面壁部２３および蓋面部２５を具備する直方体形状に形成され、前記前面側壁部２０、後面側壁部２１の下縁左半分にボトル口栓下部係止用底面フラップ２９、３１が斜め折り目線ｅ、ｆを介して各々連設され、前記前面側壁部２０、後面側壁部２１の下縁右半分に斜めミシン目線ｇ、ｈで２分割された三角形状の連結部３０ａ、３２ａと糊代部３０ｂ、３２ｂとを有する底
面貼着フラップ３０、３２が斜め折り目線ｅ´、ｆ´を介して各々連設され、前記後面側壁部２１の上縁に蓋面部２５が折り目線を介して連設され、該蓋面部２５の先端部に差込片２８が折り目線を介して連設され、また第一側面壁部２２、第二側面壁部２３の上縁に蓋受片２６、２７が折り目線を介して各々連設され、該第一側面壁部２２、第二側面壁部２３の下縁に底面貼着受フラップ３３、３４が折り目線を介して各々連設され、前記第一側面壁部２２または後面側壁部２１のいずれか一方に糊代片２４が折り目線を介して連設された１枚のブランクであって、このブランクの糊代２４と後面側壁部２１とを接着し、また前記ボトル口栓下部係止用底面フラップ２９、３１および底面貼着受フラップ３３、３４を各々内側に折り込み、さらに前記底面貼着フラップ３０、３２の連結部３０ａ、３２ａと糊代部３０ｂ、３２ｂとの表面同士を斜めミシン目線ｇ、ｈを介して各々折り重ねて前記糊代部３０ｂ、３２ｂと底面貼着受フラップ３３、３４とを各々接着して底テーネス貼式スリーブ形状とし、組み立てた時に底面部４０にボトル口栓下部係止機能を有する菱形形状の係止用孔部４１が構成されることを特徴とするボトル用プレミアム景品収納ケースである。
【００２４】
本発明の請求項２に係る発明は、請求項１記載のボトル用プレミアム景品収納ケースにおいて、前記ボトル口栓下部係止用底面フラップ２９、３１には、該ボトル口栓係止用底面フラップ２９、３１と底面貼着フラップ３０、３２とが隣接する上端交点ｉ、ｊから下方に垂下した接線が分離する点を起点ｋ、ｌとして、下方に向けてボトル口栓下部係止機能を有するコーナＲ1、Ｒ2が各々設けられていることを特徴とするボトル用プレミアム景品収納ケースである。
【発明の効果】
【００２５】
本発明は、前面側壁部、後面側壁部、第一側面壁部、第二側面壁部および蓋面部を具備する直方体形状に形成され、前記前面側壁部、後面側壁部の下縁左半分にボトル口栓下部係止用底面フラップが斜め折り目線を介して各々連設され、前記前面側壁部、後面側壁部の下縁右半分に斜めミシン目線で２分割された三角形状の連結部と糊代部とを有する底面貼着フラップが斜め折り目線を介して各々連設され、前記後面側壁部の上縁に蓋面部が折り目線を介して連設され、該蓋面部の先端部に差込片が折り目線を介して連設され、また第一側面壁部、第二側面壁部の上縁に蓋受片が折り目線を介して各々連設され、該第一側面壁部、第二側面壁部の下縁に底面貼着受フラップが折り目線を介して各々連設され、前記第一側面壁部または後面側壁部のいずれか一方に糊代片が折り目線を介して連設された１枚のブランクであって、このブランクの糊代と後面側壁部とを接着し、また前記ボトル口栓下部係止用底面フラップおよび底面貼着受フラップを各々内側に折り込み、さらに前記底面貼着フラップの連結部と糊代部との表面同士を斜めミシン目線を介して各々折り重ねて、前記糊代部と底面貼着受フラップとを各々接着して底テーネス貼式スリーブ形状とし、組み立てた時に底面部にボトル口栓下部係止機能を有する菱形形状の係止用孔部が構成されることにより、省スペースでコストが安く、簡単に組み立てができ、また景品の大きさや厚みに応じて自由にサイズ調整が可能であり、さらにプラスチックボトルに取り付けた際の陳列スペースが大きくなることもなく、段ボール詰めの手間もかからず、収納性も良いボトル用プレミアム景品収納ケースを提供することができるものである。
【発明を実施するための最良の形態】
【００２６】
本発明の実施の形態を図１から図５に基づいて詳細に説明する。
【００２７】
図１は本発明に係るボトル用プレミアム景品収納ケースの１実施例を示す平面図であり、図２は本発明に係るボトル用プレミアム景品収納ケースの１実施例を示す斜視図であり、図３は本発明に係るボトル用プレミアム景品収納ケースの底面部４０の１実施例を示す平面図であり、図４は本発明に係るボトル用プレミアム景品収納ケースの蓋面部２５を開放し、底面部４０を俯瞰した１実施例を示す平面図であり、図５は本発明に係るボトル用
プレミアム景品収納ケースをボトル１２の口栓１４下部に取り付けた１実施例を示す斜視図である。
【００２８】
本発明のボトル用プレミアム景品収納ケースは、図１に示すように、前面側壁部２０、後面側壁部２１、第一側面壁部２２、第二側面壁部２３および蓋面部２５を具備する直方体形状に形成され、前記前面側壁部２０、後面側壁部２１の下縁左半分にボトル口栓下部係止用底面フラップ２９、３１が斜め折り目線ｅ、ｆを介して各々連設され、前記前面側壁部２０、後面側壁部２１の下縁右半分に斜めミシン目線ｇ、ｈで２分割された三角形状の連結部３０ａ、３２ａと糊代部３０ｂ、３２ｂとを有する底面貼着フラップ３０、３２が斜め折り目線ｅ´、ｆ´を介して各々連設され、前記後面側壁部２１の上縁に蓋面部２５が折り目線を介して連設され、該蓋面部２５の先端部に差込片２８が折り目線を介して連設され、また第一側面壁部２２、第二側面壁部２３の上縁に蓋受片２６、２７が折り目線を介して各々連設され、該第一側面壁部２２、第二側面壁部２３の下縁に底面貼着受フラップ３３、３４が折り目線を介して各々連設され、前記第一側面壁部２２または後面側壁部２１のいずれか一方に糊代片２４が折り目線を介して連設された１枚のブランクであって、このブランクの糊代２４と後面側壁部２１とを接着し、また前記ボトル口栓下部係止用底面フラップ２９、３１および底面貼着受フラップ３３、３４を各々内側に折り込み、さらに前記底面貼着フラップ３０、３２の連結部３０ａ、３２ａと糊代部３０ｂ、３２ｂとの表面同士を斜めミシン目線ｇ、ｈを介して各々折り重ねて、前記糊代部３０ｂ、３２ｂと底面貼着受フラップ３３、３４とを各々接着して底テーネス貼式スリーブ形状とし、組み立てた時に底面部４０にボトル口栓下部係止機能を有する菱形形状の係止用孔部４１が構成されている。
【００２９】
図２に示すように、板紙などからなる１枚のブランクの糊代２４と後面側壁部２１とを一般的な接着剤を使用して接着し、また一般的に紙器の生産加工に使用される底貼機などを使用して、ボトル口栓下部係止用底面フラップ２９、３１および底面貼着受フラップ３３、３４を各々内側に折り込み、さらに前記底面貼着フラップ３０、３２の連結部３０ａ、３２ａと糊代部３０ｂ、３２ｂとの表面同士を斜めミシン目線ｇ、ｈを介して各々折り重ねて、前記糊代部３０ｂ、３２ｂと底面貼着受フラップ３３、３４とを各々接着して底テーネス貼式スリーブ形状に製函する。
【００３０】
このようにして作製された底テーネス貼式スリーブを起立させて底面部４０を成形し、組立函にして、ボトル用プレミアム景品収納ケースができあがる。
【００３１】
図３に示すように、組み立てた時に底面部４０にボトル口栓下部係止機能を有する菱形形状の係止用孔部４１が構成される。
【００３２】
そして、前記底面部４０の菱形形状の係止用孔部４１にプラスチックボトル１２の首部１２ａを挿入して、該ボトルの口栓１４下部、詳しくは該ボトル１２の首部１２ａの上部に一体成形されている円形状の翼部１２ｂに該底面部４０の菱形形状の係止用孔部４１を係止する。
【００３３】
さらに詳しくは、ボトル口栓下部係止用底面フラップ２９、３１に各々設けられている該ボトル口栓係止用底面フラップ２９、３１と底面貼着フラップ３０、３２とが隣接する上端交点ｉ、ｊから下方に垂下した接線が分離する点を起点ｋ、ｌとして、下方に向けてボトル口栓下部係止機能を有するコーナＲ1、Ｒ2が該ボトルの口栓１４下部、すなわち、該ボトル１２の首部１２ａの上部に一体成形されている円形状の翼部１２ｂに係止する仕組みになっている。
【００３４】
前記コーナの形状は、該ボトルの口栓１４下部、すなわち、該ボトル１２の首部１２ａ
の上部に一体成形されている円形状の翼部１２ｂに係止する形状ならば、特に制約されないが、曲線状を描いたコーナＲが好ましい。
【００３５】
図４に示すように、ボトル１２の口栓１４に取り付けた状態を上部から俯瞰した底面部４０であるが、菱形形状の係止用孔部４１に該ボトル口栓下部係止機能を有するコーナＲ1、Ｒ2が該ボトルの口栓１４下部、すなわち、該ボトル１２の首部１２ａの上部に一体成形されている円形状の翼部１２ｂに係止する状態を示している。
【００３６】
すなわち、組み立てられた底面部４０の構造は、底面貼着受フラップ３３、３４と底面貼着フラップ３０、３２の糊代部３０ｂ、３２ｂとが接着し、その上にコーナＲ1、Ｒ2を有するボトル口栓下部係止用底面フラップ２９、３１が各々重ねられて、菱形形状の係止用孔部４１を構成している。
【００３７】
図５に示すように、ボトル用プレミアム景品収納ケースは、ボトル１２の口栓１４に取り付けられ、該ボトル１２の首部１２ａの上部に一体成形されている円形状の翼部１２ｂに係止している。
【００３８】
前記ボトル用プレミアム景品収納ケースは、該ケースの第一側面壁部２２、第二側面壁部２３の上縁に設けられた蓋受片２６、２７を内側に折り込み、後面側壁部２１の上縁に設けられた蓋面部２５を手前に折り込んで、該蓋面部２５の先端部に設けられた差込片２８を折り込まれた蓋受片２６、２７と前面側壁部２０の間に差し込んでケース内の景品などを保持する。
【００３９】
このようにボトル用プレミアム景品収納ケースは、立体的な形状をしており、ボトルの上部にセットするので、輸送段ボールケース詰めの際、スペース確保のために薄くて限られた景品しか収納できなかった、従来のボトルネック吊り下げ方式などの場合に比較して景品の大きさ、厚みが自由に選択できる。
【００４０】
ボトル用プレミアム景品収納ケースの材質は、コートボール、マニラボールなどの板紙やポリプロピレン樹脂シートやアクリル樹脂シートなどの合成樹脂シートを適宜使用することができる。
【００４１】
また、該ケース自体が立体的な形状であるので、広告宣伝の印刷表示がアピール効果を持ち、店頭での商品の認知度をより一層アップする効果もある。
【００４２】
さらに、該ケースは、単純な形態であるので省資源パッケージであり、紙を使用することによって廃棄が容易で環境にやさしいパッケージでもある。
【００４３】
以上のように、本発明は、前面側壁部２０、後面側壁部２１、第一側面壁部２２、第二側面壁部２３および蓋面部２５を具備する直方体形状に形成され、前記前面側壁部２０、後面側壁部２１の下縁左半分にボトル口栓下部係止用底面フラップ２９、３１が斜め折り目線ｅ、ｆを介して各々連設され、前記前面側壁部２０、後面側壁部２１の下縁右半分に斜めミシン目線ｇ、ｈで２分割された三角形状の連結部３０ａ、３２ａと糊代部３０ｂ、３２ｂとを有する底面貼着フラップ３０、３２が斜め折り目線ｅ´、ｆ´を介して各々連設され、前記後面側壁部２１の上縁に蓋面部２５が折り目線を介して連設され、該蓋面部２５の先端部に差込片２８が折り目線を介して連設され、また第一側面壁部２２、第二側面壁部２３の上縁に蓋受片２６、２７が折り目線を介して各々連設され、該第一側面壁部２２、第二側面壁部２３の下縁に底面貼着受フラップ３３、３４が折り目線を介して各々連設され、前記第一側面壁部２２または後面側壁部２１のいずれか一方に糊代片２４が折り目線を介して連設された１枚のブランクであって、このブランクの糊代２４と後面側壁
部２１とを接着し、また前記ボトル口栓下部係止用底面フラップ２９、３１および底面貼着受フラップ３３、３４を各々内側に折り込み、さらに前記底面貼着フラップ３０、３２の連結部３０ａ、３２ａと糊代部３０ｂ、３２ｂとの表面同士を斜めミシン目線ｇ、ｈを介して各々折り重ねて、前記糊代部３０ｂ、３２ｂと底面貼着受フラップ３３、３４とを各々接着して底テーネス貼式スリーブ形状とし、組み立てた時に底面部４０にボトル口栓下部係止機能を有する菱形形状の係止用孔部４１が構成されることにより、省スペースでコストが安く、簡単に組み立てができ、また景品の大きさや厚みに応じて自由にサイズ調整が可能であり、さらにプラスチックボトルに取り付けた際の陳列スペースが大きくなることもなく、段ボール詰めの手間もかからず、収納性も良いボトル用プレミアム景品収納ケースを提供することができるものである。
【００４４】
以下に、本発明の具体的実施例を挙げて、さらに詳しく説明する。
【実施例１】
【００４５】
本発明のボトル用プレミアム景品収納ケースは、坪量が３２０ｇ／ｍ2のマニラコートボールを使用し、仕上がり寸法を幅８０ｍｍ×奥行５５ｍｍ×高さ５０ｍｍに設定した。
【００４６】
図１に示すように、前面側壁部２０、後面側壁部２１、第一側面壁部２２、第二側面壁部２３および蓋面部２５を具備する直方体形状に形成し、前記前面側壁部２０、後面側壁部２１の下縁左半分にボトル口栓下部係止用底面フラップ２９、３１を斜め折り目線ｅ、ｆを介して各々連設した。
【００４７】
次に、前記前面側壁部２０、後面側壁部２１の下縁右半分に斜めミシン目線ｇ、ｈで２分割された三角形状の連結部３０ａ、３２ａと糊代部３０ｂ、３２ｂとを有する底面貼着フラップ３０、３２を斜め折り目線ｅ´、ｆ´を介して各々連設した。
【００４８】
前記斜め折り目線ｅ、ｆの斜め立ち上げ角度ａは、各々１５度に設定し、また斜め折り目線ｅ´、ｆ´の斜め立ち上げ角度ａも各々１５度に設定した。
【００４９】
次に、前記後面側壁部２１の上縁に蓋面部２５を折り目線を介して連設し、該蓋面部２５の先端部に差込片２８を折り目線を介して連設した。
【００５０】
次に、第一側面壁部２２、第二側面壁部２３の上縁に蓋受片２６、２７を折り目線を介して各々連設し、該第一側面壁部２２、第二側面壁部２３の下縁に底面貼着受フラップ３３、３４を折り目線を介して各々連設した。
【００５１】
次に、ボトル口栓下部係止用底面フラップ２９、３１に各々設けた、該ボトル口栓係止用底面フラップ２９、３１と底面貼着フラップ３０、３２とが隣接する上端交点ｉ、ｊから下方に垂下した接線が分離する点を起点ｋ、ｌとして、下方に向けてボトル口栓下部係止機能を有するコーナＲ1、Ｒ2は、各々Ｒ＝４．０に設定した。
【００５２】
次に、前記該ボトル口栓係止用底面フラップ２９、３１と底面貼着フラップ３０、３２とが隣接する上端交点ｉ、ｊから下方に垂下した接線が分離する点を起点ｋ、ｌとして、下方に向けての、前記底面貼着フラップ３０、３２の左側縁端のテーパー角度ａは、各々１５度とした。
【００５３】
また、該底面貼着フラップ３０、３２の右側縁端のテーパー角度ｂは、各々２０度とした。
【００５４】
次に、前記ボトル口栓下部係止用底面フラップ２９、３１の右側辺コーナＲ1、Ｒ2の下
方に延設した側縁端のテーパー角度ｄは、各々３０度とした。
【００５５】
また、該ボトル口栓下部係止用底面フラップ２９、３１の左側縁端のテーパー角度ｂは、各々２０度とした。
【００５６】
次に、前記第一側面壁部２２、第二側面壁部２３の下縁に設けた底面貼着受フラップ３３、３４の左側縁端のテーパー角度ｃは、各々２７度とした。
【００５７】
また、前記底面貼着受フラップ３３、３４の右側縁端のテーパー角度ｄは、各々３０度とした。
【００５８】
以上のようにして作製した１枚のブランクを使用し、特殊な底貼機によって、該ブランクの糊代２４と後面側壁部２１とを接着し、また前記ボトル口栓下部係止用底面フラップ２９、３１および底面貼着受フラップ３３、３４を各々内側に折り込み、さらに前記底面貼着フラップ３０、３２の連結部３０ａ、３２ａと糊代部３０ｂ、３２ｂとの表面同士を斜めミシン目線ｇ、ｈを介して各々折り重ねて、前記糊代部３０ｂ、３２ｂと底面貼着受フラップ３３、３４とを各々接着して、底テーネス貼式スリーブ形状のスリーブを作製した。
【００５９】
以上のようにして作製したスリーブを図２から図４に示すように組み立て、底面部４０にボトル口栓下部係止機能を有する菱形形状の係止用孔部４１を構成した。
【００６０】
次に、第一側面壁部２２、第二側面壁部２３の上縁に設けられた蓋受片２６、２７を内側に折り込み、後面側壁部２１の上縁に設けられた蓋面部２５を手前に折り込んで、該蓋面部２５の先端部に設けられた差込片２８を折り込まれた蓋受片２６、２７と前面側壁部２０の間に差し込んでボトル用プレミアム景品収納ケースを作製した。
【００６１】
図５に示すように、作製したボトル用プレミアム景品収納ケースの底面部４０の菱形形状の係止用孔部４１にプラスチックボトル１２の首部１２ａを挿入して、該ボトルの口栓１４下部、詳しくは該ボトル１２の首部１２ａの上部に一体成形されている円形状の翼部１２ｂに該底面部４０の菱形形状の係止用孔部４１を係止した。
【００６２】
以上のようにして、作製したボトル用プレミアム景品収納ケースは、省スペースでコストが安く、簡単に組み立てができ、また景品の大きさや厚みに応じて自由にサイズ調整が可能であり、さらにプラスチックボトルに取り付けた際の陳列スペースが大きくなることもなく、段ボール詰めの手間もかからず、収納性も良いボトル用プレミアム景品収納ケースを提供することができた。
【図面の簡単な説明】
【００６３】
【図１】本発明に係るボトル用プレミアム景品収納ケースの１実施例を示す平面図である。
【図２】本発明に係るボトル用プレミアム景品収納ケースの１実施例を示す斜視図である。
【図３】本発明に係るボトル用プレミアム景品収納ケースの底面部の１実施例を示す平面図である。
【図４】本発明に係るボトル用プレミアム景品収納ケースの蓋面部を開放し、底面部を俯瞰した１実施例を示す平面図である。
【図５】本発明に係るボトル用プレミアム景品収納ケースをボトルの口栓下部に取り付けた１実施例を示す斜視図である。
【図６】従来のボトル用プレミアム景品収納プラスチック製袋をボトルの首部に取り付けた１実施例を示す斜視図である。
【図７】従来のボトル用プレミアム景品収納ケースをボトルの口栓下部に取り付けた１実施例を示す斜視図である。
【図８】従来のボトル用プレミアム景品収納ケースをボトルの口栓下部に取り付けるための底面部の１実施例を示す平面図である。
【符号の説明】
【００６４】
１・・・第１の面
２・・・第２の面
３・・・第３の面
４・・・第４の面
５・・・第５の面
６・・・第６の面
７・・・第７の面
８・・・糊代
９・・・折り込み面
１０・・・首部挿入孔    １０a・・・首部押さえ片    １０b・・・首部押さえ片
１２・・・ボトル    １２ａ・・・首部    １２ｂ・・・翼部
１３・・・おまけ
１４・・・口栓
１５・・・取付け孔
１６・・・プラスチック製袋
１７・・・おまけ容器
２０・・・前面側壁部
２１・・・後面側壁部
２２・・・第一側面壁部
２３・・・第二側面壁部
２４・・・糊代片
２５・・・蓋面部
２６・・・蓋受片
２７・・・蓋受片
２８・・・差込片
２９・・・ボトル口栓下部係止用底面フラップ
３０・・・底面貼着フラップ    ３０ａ・・・連結部    ３０ｂ・・・糊代部
３１・・・ボトル口栓下部係止用底面フラップ
３２・・・底面貼着フラップ    ３２ａ・・・連結部    ３２ｂ・・・糊代部
３３・・・底面貼着受フラップ
３４・・・底面貼着受フラップ
４０・・・底面部
４１・・・係止用孔部
４２・・・切り込み
Ｒ1・・・コーナＲ
Ｒ2・・・コーナＲ
ａ・・・角度
ｂ・・・角度
ｃ・・・角度
ｄ・・・角度
ｅ・・・斜め折り目線    ｅ´・・・斜め折り目線
ｆ・・・斜め折り目線    ｆ´・・・斜め折り目線
ｇ・・・斜めミシン目線
ｈ・・・斜めミシン目線
ｉ・・・上端交点
ｊ・・・上端交点
ｋ・・・起点
ｌ・・・起点
ｄ１・・・幅
ｄ２・・・幅
ｄ３・・・幅
【図１】
2005178863.tif 000003
【図２】
2005178863.tif 000004
【図３】
2005178863.tif 000005
【図４】
2005178863.tif 000006
【図５】
2005178863.tif 000007
【図６】
2005178863.tif 000008
【図７】
2005178863.tif 000009
【図８】
2005178863.tif 000010